(57)【特許請求の範囲】
【請求項１】
静止原稿を読取るブック読取式及び自動原稿供給装置からの移動原稿を読取る自動原稿供給式が可能であり、照射光源が自動原稿供給式の読取位置に待機する原稿読取装置において、静止原稿を読取った後、照射光源を静止原稿の読取開始位置へ復帰させる手段と、該手段が復帰させる動作を開始したときに、次の静止原稿の読取りが可能であることを文字表示する手段を備えることを特徴とする原稿読取装置。
【請求項２】
静止原稿を読取るブック読取式及び自動原稿供給装置からの移動原稿を読取る自動原稿供給式が可能である原稿読取装置において、静止原稿を読取った後、照射光源が静止原稿の読取開始位置へ復帰する動作を開始したときに、次の静止原稿の読取りが可能であることを文字表示する手段を備えることを特徴とする原稿読取装置。
【発明の詳細な説明】
【０００１】
【発明の属する技術分野】
本発明は、ファクシミリ装置等の、静止原稿を読取るブック読取式の原稿読取装置の改良に関するものである。
【０００２】
【従来の技術】
従来の原稿読取装置では、原稿に光を照射する光源は、光学系駆動制御部によりその位置及び駆動が制御され、その待機位置は、ＡＤＦ（自動原稿供給装置）付近のＡＤＦ式の読取位置又はブック読取式の読取開始位置に決められている。ブック読取式の読取開始位置は、静止原稿をその上にセットするための透光板の、ＡＤＦとは反対側の端部付近に設定されている。ブック読取式の読取りを行うとき、光源は、ブック読取式の読取開始位置と、ＡＤＦ式の読取位置付近の読取終了位置との間を往復する。
ブック読取式では、光源が読取終了位置から読取開始位置へ復帰した後に次の原稿の読取りが可能であることが表示される。
【０００３】
【特許文献１】
特開平４−７０２５６号公報
【特許文献２】
特開平６−１０６８７６号公報
【０００４】
【発明が解決しようとする課題】
上述したところにより、従来の原稿読取装置は、待機位置とは異なる、光源の読取開始位置又は読取位置により原稿の読取りを行うときは、１枚又は一連の原稿読取りが終了する都度、光源が待機位置に復帰する時間と、その後、読取開始位置又は読取位置に移動する時間とが無駄に発生し、次の読取開始が遅れる問題があった。
例えば、光源の待機位置がＡＤＦ式の読取位置である場合、ブック読取式で静止原稿を読取るときは、光源は、読取開始位置から読取終了位置に移動した後、読取位置の待機位置に復帰し、その後、再びブック読取式で静止原稿がセットされ、読取開始指示釦が操作されると、光源は、読取開始位置へ移動する。
【０００５】
静止原稿をブック読取式で読取る原稿読取装置では、次の原稿の読取りが可能であることが表示されるのを待って、次の原稿をセットしていては、光源が待機位置又は読取開始位置に復帰する迄の時間が無駄であり、それだけ読取開始が遅れる問題があった。
本発明は、上述のような事情に鑑みてなされたものであり、読取開始が遅れることを防止できる原稿読取装置を提供することを目的とする。
【０００６】
【課題を解決するための手段】
本発明に係る原稿読取装置は、静止原稿を読取るブック読取式及び自動原稿供給装置からの移動原稿を読取る自動原稿供給式が可能であり、照射光源が自動原稿供給式の読取位置に待機する原稿読取装置において、静止原稿を読取った後、照射光源を静止原稿の読取開始位置へ復帰させる手段と、該手段が復帰させる動作を開始したときに、次の静止原稿の読取りが可能であることを文字表示する手段を備えることを特徴とする。
この原稿読取装置では、静止原稿を読取った後、照射光源が静止原稿の読取開始位置へ復帰する動作を開始したときに、表示する手段が、次の静止原稿の読取りが可能であることを文字表示する。
これにより、操作者は、次の静止原稿の読取りを行うときは、照射光源がブック読取式の開始位置へ移動し終わるのを待たずに、次の静止原稿をセットすることができるので、次の静止原稿の読取開始を早めることができる。
【０００７】
本発明に係る原稿読取装置は、静止原稿を読取るブック読取式及び自動原稿供給装置からの移動原稿を読取る自動原稿供給式が可能である原稿読取装置において、静止原稿を読取った後、照射光源が静止原稿の読取開始位置へ復帰する動作を開始したときに、次の静止原稿の読取りが可能であることを文字表示する手段を備えることを特徴とする。
【０００８】
【発明の実施の形態】
以下に、本発明の実施の形態をそれを示す図面に基づき説明する。
図１は、本発明に係る原稿読取装置の実施の形態であるファクシミリ装置の構成を示すブロック図である。このファクシミリ装置１は、読取部１２で読取った白黒の画素を符号化し、受信した符号を白黒の画素に復号するコーデック４と、コーデック４が復号した白黒の画素を印刷するプリント部１１と、文字フォントを出力するキャラクタジェネレータ５と、表示部６と、時計部７と、テンキー、操作キー等を備えた操作部８と、ＲＯＭ９と、ＲＡＭ１０とを備えている。
【０００９】
また、このファクシミリ装置１は、送信する符号等を送信信号に変調し、受信信号を符号等に復調するモデム部３と、ファクシミリ装置及び公衆回線網の接続制御を行う回線制御部２と、上記各部からの信号を処理し、上記各部を制御するＣＰＵ１７と、ＣＰＵ１７及び上記各部を接続するバス１８とを備えている。
【００１０】
読取部１２は、ＡＤＦ（自動原稿供給装置）に原稿がセットされているか否かを検知するＡＤＦ原稿検知部１３と、画像を白黒の画素に読取る読取検出部２７と、ブックプラテンカバーの開閉を検知するブックプラテンカバー開閉検知部１４と、移動原稿を読取るＡＤＦ式と静止原稿を読取るブック読取式とで位置動作が異なる、読取検出部２７用の光学系の駆動を制御する光学系駆動制御部１５と、ＡＤＦの原稿搬送を制御するＡＤＦ原稿搬送制御部１６とを備えている。
【００１１】
図２は、ファクシミリ装置１の読取部１２の要部構成を示す断面図である。この読取部１２は、読取りが可能な原稿の幅以上の奥行きを有する透光板２２，２３を備えている。透光板２２の上面は、読取りが可能な原稿と略等しい大きさを有する、静止原稿の読取面を構成している。透光板２３は、透光板２２の一端の近くに設けられ、その上面は、移動原稿の読取面を構成する。
【００１２】
透光板２２，２３の下方には、原稿に光を照射する光源２４と、原稿からの反射光の行路を変更する複数の反射ミラー２５と、反射ミラー２５からの反射光を集光する集光レンズ２６と、集光レンズ２６が集光した反射ミラー２５からの反射光により原稿上の画情報を読取る撮像素子（読取検出部）２７とをそなえている。光源２４及び反射ミラー２５は、それぞれ、透光板２２，２３の奥行きに略等しい長さを有している。
光源２４は、光学系駆動制御部１５によりその位置及び駆動が制御され、その待機位置は、ＡＤＦ付近のＡＤＦ式の読取位置Ａ又は透光板２２のＡＤＦとは反対側の端部付近の、ブック読取式の開始位置Ｂに決められている。光源２４は、ブック読取式の読取りを行うときは、開始位置Ｂと、位置Ａ付近の終了位置Ｃとの間を往復する。
【００１３】
透光板２２の上方には、透光板２２，２３を覆うように、ブックプラテンカバー３１が開閉可能に設けられ、ブックプラテンカバー３１が閉じられたときに、ブックプラテンカバー３１の直下になる位置に、ブックプラテンカバー３１の開閉を検知するブックプラテンカバー開閉検知部１４が設けられている。
ブックプラテンカバー３１は、その上部に、読取前の移動原稿をセットしておく原稿供給トレイ３２と、原稿供給トレイ３２の下方に、読取後の移動原稿を溜めておく原稿排出トレイ３３とを備え、両トレイ３２，３３のそれぞれの１辺と接続され、透光板２３の上方に配置されたガイド機構３４とを備えている。原稿供給トレイ３２、ガイド機構３４及び原稿排出トレイ３３はＡＤＦ（自動原稿供給装置）を構成している。
【００１４】
ガイド機構３４内には、原稿供給トレイ３２との境界部に、原稿を１枚ずつ分離するための分離ローラ３５，３６が設けられている。分離ローラ３５，３６の原稿供給トレイ３２側には、原稿がセットされているか否かを検知するＡＤＦ原稿検知部１３が設けられている。
分離ローラ３５，３６と原稿排出トレイ３３との間には、複数の移送ローラ３７が設けられ、分離ローラ３５，３６によって分離された移動原稿に移送力が付与される。
ブックプラテンカバー３１、原稿供給トレイ３２、原稿排出トレイ３３、ガイド機構３４、分離ローラ３５，３６及び移送ローラ３７は、それぞれ、透光板２２，２３の奥行きに略等しい長さを有している。
【００１５】
以下に、このような構成のファクシミリ装置１の動作を、それを示すフローチャート図３，４を参照しながら説明する。尚、以下の動作は、光学系の光源２４の待機位置が、ＡＤＦ式の読取位置Ａ及びブック読取式の開始位置Ｂの何れであっても、光学系を待機位置へ移動させるステップＳ２４の他は共通である。
【００１６】
ブックプラテンカバー開閉検知部１４がブックプラテンカバーの開→閉又は閉→開を検知しておらず（Ｓ１０）、ＡＤＦ原稿検知部１３が原稿を検知していれば（Ｓ１２）、ＡＤＦ式の読取動作に入り、光学系の光源２４がＡＤＦ付近のＡＤＦ式の読取位置Ａ（図２）にあるか否かを調べる（Ｓ１４）。
ブックプラテンカバー開閉検知部１４がブックプラテンカバーの開→閉又は閉→開を検知しておらず（Ｓ１０）、ＡＤＦ原稿検知部１３が原稿を検知していなければ（Ｓ１２）、待機状態を続ける。
【００１７】
光学系の光源２４がＡＤＦ式の読取位置Ａに無ければ（Ｓ１４）、光学系駆動制御部１５により、光源２４をＡＤＦ式の読取位置Ａへ移動させる（Ｓ１６）。光源２４を読取位置Ａへ移動させた（Ｓ１６）後、また、光学系の光源２４が読取位置Ａに有れば（Ｓ１４）、所定時間の計時を開始する（Ｓ１８）。この所定時間内に操作部８で読取開始指示釦が操作されなければ（Ｓ２０，２２）、光源２４を待機位置へ移動させる（Ｓ２４）。つまり、光学系の光源２４の待機位置が、ＡＤＦ式の読取位置Ａであれば、その位置に止まらせ、ブック読取式の開始位置Ｂであれば、開始位置Ｂに移動させて、待機状態に戻る。
【００１８】
この所定時間内に操作部８で読取開始指示釦が操作されれば（Ｓ２０）、ＡＤＦの原稿供給トレイ３２にある移動原稿が無くなる迄、１枚ずつ読取検出部２７により読取る（Ｓ２６）。この読取りを終えれば、光源２４を待機位置へ移動させる（Ｓ２４）。
【００１９】
ブックプラテンカバー開閉検知部１４がブックプラテンカバーの開→閉又は閉→開を検知していれば（Ｓ１０）、ブック読取式の読取動作に入り、光学系の光源２４がブック読取式の開始位置Ｂに無ければ（Ｓ２８）、光学系駆動制御部１５により、光源２４を開始位置Ｂへ移動させる（Ｓ３０）。
光源２４を開始位置Ｂへ移動させた（Ｓ３０）後、また、光源２４がブック読取式の開始位置Ｂにあれば（Ｓ２８）、所定時間の計時を開始する（Ｓ２９）。この所定時間内に、操作部８の読取開始指示釦が操作され、原稿の読取り指示があれば（Ｓ３１）、静止原稿の読取動作に入り、光学系駆動制御部１５により、光源２４を開始位置Ｂから終了位置Ｃまで移動させながら（Ｓ３２）、静止原稿の１ページを読取る（Ｓ３４）。
【００２０】
所定時間内に、原稿の読取り指示がなければ（Ｓ３１）、光源２４を待機位置へ移動させる（Ｓ２４）。つまり、光学系の光源２４の待機位置が、ＡＤＦ式の読取位置Ａであれば、読取位置Ａに移動させ、ブック読取式の開始位置Ｂであれば、その位置に止まらせて、待機状態に戻る。
【００２１】
次に、この読取り（Ｓ３４）が終わり、光学系駆動制御部１５により、光源２４の開始位置Ｂへの復動が開始されれば（Ｓ３６）、表示部６に「読取りできます」を表示する（Ｓ４０）と共に、所定時間の計時を開始する（Ｓ４２）。この所定時間内に、操作部８の読取開始指示釦が操作され次ページの静止原稿の読取り指示があり（Ｓ４４）、光源２４が開始位置Ｂに戻っていれば（Ｓ４８）、次ページの静止原稿の読取動作に入る（Ｓ３２）。
次ページの静止原稿の読取り指示がなければ（Ｓ４４）、光源２４を開始位置Ｂで待機させる。つまり、ブック読取式で原稿を読取った後は、所定時間、光源２４をブック読取式の開始位置Ｂで待機させる。
【００２２】
所定時間内に、次ページの静止原稿の読取り指示がなければ（Ｓ４４，４６）、光源２４を開始位置Ｂから待機位置へ移動させる（Ｓ２４）。つまり、光学系の光源２４の待機位置が、ブック読取式の開始位置Ｂであれば、その位置に止まらせ、ＡＤＦ式の読取位置Ａであれば、読取位置Ａに移動させて、待機状態に戻る。
【００２３】
【発明の効果】
本発明に係る原稿読取装置によれば、操作者は、次の静止原稿の読取りを行うときは、照射光源がブック読取式の開始位置へ移動し終わるのを待たずに、次の静止原稿をセットすることができるので、次の静止原稿の読取開始を早めることができる。
【図面の簡単な説明】
【図１】本発明に係る原稿読取装置の実施の形態であるファクシミリ装置の構成を示すブロック図である。
【図２】図１に示すファクシミリ装置の読取部の要部構成を示す断面図である。
【図３】図１に示すファクシミリ装置の動作を示すフローチャートである。
【図４】図１に示すファクシミリ装置の動作を示すフローチャートである。
【符号の説明】
１  ファクシミリ装置（原稿読取装置）
６  表示部（表示する手段）
１２  読取部
１３  ＡＤＦ原稿検知部
１４  ブックプラテンカバー開閉検知部
１５  光学系駆動制御部
２２，２３  透光板
２４  光源（照射光源）
３２  原稿供給トレイ
３３  原稿排出トレイ
３４  ガイド機構
【図１】
0003722122.tif 000002
【図２】
0003722122.tif 000003
【図３】
0003722122.tif 000004
【図４】
0003722122.tif 000005